(57)【要約】【課題】スピーカーボックスに薄型ディスプレイ本体を支持する機能を備えることによりスタンドを省略することができ、価格の低減および設置スペースの縮小化を図れる薄型ディスプレイセッティング装置を提供する。【解決手段】映像を表示する薄型ディスプレイ本体と、前記映像に対応した音声を出力するスピーカーボックスと、前記スピーカーボックスに設けられ、前記薄型ディスプレイ本体を支持する支持手段と、を備え、該支持手段によって前記薄型ディスプレイ本体が支持される高さ位置が、調整可能とされている薄型ディスプレイセッティング装置とする。【選択図】図１
2008193713.tif 000002
【特許請求の範囲】
【請求項１】
映像を表示する薄型ディスプレイ本体と、
前記映像に対応した音声を出力するスピーカーボックスと、
前記スピーカーボックスに設けられ、前記薄型ディスプレイ本体を支持する支持手段と、
を備え、
該支持手段によって前記薄型ディスプレイ本体が支持される高さ位置が、調整可能とされていることを特徴とする薄型ディスプレイセッティング装置。
【請求項２】
前記薄型ディスプレイ本体は、
略直方体形状にされ、表示面に対して奥行の小さいものであり、
前記スピーカーボックスは、
前記薄型ディスプレイ本体の表示面に映し出される映像に対応して音声を出力し、前記薄型ディスプレイ本体の下側に配置されるセンタースピーカーボックスであることを特徴とする請求項１に記載の薄型ディスプレイセッティング装置。
【請求項３】
前記支持手段は、
前記薄型ディスプレイ本体が前記センタースピーカーボックスの上に、前記薄型ディスプレイ本体の下面と前記センタースピーカーボックスの上面とが対向するように載置された状態で、前記薄型ディスプレイ本体の後側を前記センタースピーカーボックスの上面に取り付ける後側取付けアングルから成ることを特徴とする請求項２に記載の薄型ディスプレイセッティング装置。
【請求項４】
前記センタースピーカーボックスの上面に、前記後側取付けアングルを取り付けるための複数の後側アングル取付け孔を列設し、前記後側取付けアングルを前記複数の後側アングル取付け孔のうちの前記薄型ディスプレイ本体の前後位置に応じた後側アングル取付け孔に取り付けることにより、前記薄型ディスプレイ本体の前後位置を調整可能にしたことを特徴とする請求項３に記載の薄型ディスプレイセッティング装置。
【発明の詳細な説明】
【技術分野】
【０００１】
本発明は、ＡＶシステムの薄型ディスプレイセッティング装置に係り、より詳しくは薄型ディスプレイ本体をスピーカーボックスで支持する薄型ディスプレイセッティング装置に関するものである。
【背景技術】
【０００２】
従来、ＡＶシステムの薄型ディスプレイ装置は薄型ディスプレイ本体を特別なスタンドに載置支持していた（例えば、特許文献１参照）。また、図１３に示すように、小型のスピーカーボックス２０，２１の場合は、スタンド２２に取り付けた薄型ディスプレイ本体２３に直に外付けし、図１４に示すように大型のスピーカーボックス２４，２５の場合は薄型ディスプレイ本体２６の左右に並べて設置していた。いずれの場合も、薄型ディスプレイ本体２３，２６を支持するために、専用のスタンド２２を必要としていた。
【特許文献１】実開平５―２４８６号公報
【発明の開示】
【発明が解決しようとする課題】
【０００３】
しかるに、スタンド２２に支持される上記薄型ディスプレイ装置では、薄型ディスプレイ本体２３，２６を支持するに充分な強度を持ったディスプレイ支持専用のスタンド２２を要し、価格的に高くなり、またスタンド２２の設置スペースを広く必要とする等の問題があった。
【０００４】
本発明の目的は、このような問題を解決するためになされたものであり、複数のスピーカーボックスに薄型ディスプレイ本体の支持機能を兼備させることによりディスプレイ支持専用のスタンドを省略することができ、価格の低減および設置スペースの有効活用を図れる薄型ディスプレイセッティング装置を提供することにある。
【課題を解決するための手段】
【０００５】
上記目的を達成するために本発明は、映像を表示する薄型ディスプレイ本体と、前記映像に対応した音声を出力するスピーカーボックスと、前記スピーカーボックスに設けられ、前記薄型ディスプレイ本体を支持する支持手段と、を備え、該支持手段によって前記薄型ディスプレイ本体が支持される高さ位置が、調整可能とされている構成としている。
【０００６】
また上記構成において、前記薄型ディスプレイ本体は、略直方体形状にされ、表示面に対して奥行の小さいものであり、前記スピーカーボックスは、前記薄型ディスプレイ本体の表示面に映し出される映像に対応して音声を出力し、前記薄型ディスプレイ本体の下側に配置されるセンタースピーカーボックスである構成としてもよい。
【０００７】
また上記構成において、前記支持手段は、前記薄型ディスプレイ本体が前記センタースピーカーボックスの上に、前記薄型ディスプレイ本体の下面と前記センタースピーカーボックスの上面とが対向するように載置された状態で、前記薄型ディスプレイ本体の後側を前記センタースピーカーボックスの上面に取り付ける後側取付けアングルから成る構成としてもよい。
【０００８】
前記センタースピーカーボックスの上面に、前記後側取付けアングルを取り付けるための複数の後側アングル取付け孔を列設し、前記後側取付けアングルを前記複数の後側アングル取付け孔のうちの前記薄型ディスプレイ本体の前後位置に応じた後側アングル取付け孔に取り付けることにより、前記薄型ディスプレイ本体の前後位置を調整可能にした構成としてもよい。
【発明の効果】
【０００９】
本発明によると、映像を表示する薄型ディスプレイ本体と、前記映像に対応した音声を出力するスピーカーボックスと、前記スピーカーボックスに設けられ、前記薄型ディスプレイ本体を支持する支持手段と、を備えた薄型ディスプレイセッティング装置にすることにより、薄型ディスプレイ本体は専用スタンドを用いることなく支持することができ、専用スタンドの省略化によりコストの削減を図れ、また薄型ディスプレイ本体及びスピーカーボックスの設置スペースを有効に活用することができる。
【発明を実施するための最良の形態】
【００１０】
本発明の好適な実施形態を図面に基づき説明する。図１は本発明の一実施例を示す薄型ディスプレイセッティング装置の斜視図、図２は図１の薄型ディスプレイセッティング装置を、右側のスピーカーボックスを分離した状態で示す斜視図、図３は図１の薄型ディスプレイセッティング装置の左側のスピーカーボックスを示す斜視図、図４は図１の薄型ディスプレイセッティング装置の後側保持サポートを示す斜視図、図５は図１の薄型ディスプレイセッティング装置の組立て途中の状態を示す斜視図、図６は図１の薄型ディスプレイセッティング装置の組立て完了状態を示す斜視図、図７は図１の薄型ディスプレイセッティング装置の組立て途上において左側のスピーカーボックスを取り付ける前の状態を示す斜視図、図８は他の実施例を示す薄型ディスプレイセッティング装置の斜視図、図９は図８の薄型ディスプレイセッティング装置の薄型ディスプレイ本体を後側から見た斜視図、図１０は更に他の実施例を示す薄型ディスプレイセッティング装置を、右側のスピーカーボックスを分離した状態で示す斜視図、図１１は更に又、他の実施例を薄型ディスプレイセッティング装置の斜視図、図１２は図１１の薄型ディスプレイセッティング装置の薄型ディスプレイ本体を後側から見た斜視図である。
【００１１】
図１、図２において、本発明に係る薄型ディスプレイセッティング装置は、略直方体形状にされ、表示面１ａに対して奥行の小さい薄型ディスプレイ本体１と、薄型ディスプレイ本体１の表示面１ａに映し出される映像に対応して音声を出力し、薄型ディスプレイ本体１の左右に配置される一対のスピーカーボックス２，３と、一対のスピーカーボックス２，３にそれぞれ設けられ、薄型ディスプレイ本体１を支持する支持手段Ｓにより構成される。
【００１２】
支持手段Ｓは、左側のスピーカーボックス２の右側面部に設けられ、薄型ディスプレイ本体１の左側面部が取り付けられる第１凹部２−１と、右側のスピーカーボックス３の左側面部に設けられ、薄型ディスプレイ本体１の右側面部が取り付けられる第２凹部３−１と、薄型ディスプレイ本体１の左右下側を第１、第２凹部２−１，３−１にそれぞれ取り付ける下側取付けアングル５（図２、図５参照）により構成される。
【００１３】
また、支持手段Ｓは、更に、薄型ディスプレイ本体１の後側を左右のスピーカーボックス２，３の第１、第２凹部２−１，３−１にそれぞれ保持するための後側保持サポート６をも備える。一方、図５に示すように薄型ディスプレイ本体１の後側の左右に溝１−１をそれぞれ設け、図３に示すように左右のスピーカーボックス２，３の第１、第２凹部２−１，３−１にそれぞれ複数のサポート取付け孔１３を設ける。
【００１４】
そして、後側保持サポート６は、図４に示すように矩形状に形成されており、この前後端縁に薄型ディスプレイ本体１の溝１−１に挿入係合可能なリブ部６−１を設けている。また、後側保持サポート６の内面側には外周が周壁６−４で囲まれ、薄型ディスプレイ本体１と左右のスピーカーボックス２，３内のスピーカーとを接続する接続線（図示省略）の余裕部を収納できる収納部６−２を設けており、周壁６−４には接続線の出し入れをするための切欠部６−３を設けている。
【００１５】
上記構成の薄型ディスプレイセッティング装置を組み立てるには、図５に示すように、まず、左右一対のスピーカーボックス２，３を薄型ディスプレイ本体１の横方向寸法の間隔をあけて、そのフロント側が下になるよう床面に置く。次に、薄型ディスプレイ本体１を左右一対のスピーカーボックス２，３の間に置く。その際、薄型ディスプレイ本体１の左側面部が左側のスピーカーボックス２の第１凹部２−１の前側の段部２−４に、薄型ディスプレイ本体１の右側面部が右側のスピーカーボックス３の第２凹部３−１の前側の段部３−４にそれぞれ載せられる。
【００１６】
次に、薄型ディスプレイ本体１の左右下側にそれぞれ、下側取付けアングル５を取付けビス８で取り付ける。そして、薄型ディスプレイ本体１の左右下側に取り付けられた下側取付けアングル５，５を左右のスピーカーボックス２，３の第１、第２凹部２−１，３−１にそれぞれ取付けビス９で止め付ける。この時、スピーカーボックス２，３の第１、第２凹部２−１，３−１には複数の下側アングル取付け孔１２を上下、前後方向に所定ピッチで列設してあるため、薄型ディスプレイ本体１を任意の高さ位置に調整しながら取り付けることができる。
【００１７】
また、薄型ディスプレイ本体１と左右のスピーカーボックス２，３間に下側取付けアングル５を取り付ける時は、薄型ディスプレイ本体１の左右側面部を左右のスピーカーボックス２，３の第１、第２凹部２−１，３−１の前側の段部２−４，３−４に載せているため、上述の取付け作業を簡単かつ安全に行うことができる。
【００１８】
また、図６に示すように、薄型ディスプレイ本体１の後側は左右のスピーカーボックス２，３の第１、第２凹部２−１，３−１にそれぞれ後側保持サポート６で保持される。その際、後側保持サポート６のリブ部６−１を薄型ディスプレイ本体１の後側の溝１−１に挿入係合し、後側保持サポート６をスピーカーボックス２，３の第１、第２凹部２−１，３−１にそれぞれサポート取付け孔１３を介して取付けビス１０で取り付ける。
【００１９】
薄型ディスプレイ本体１は大きさにより厚み方向の寸法（奥行寸法）が異なるが、この場合、第１、第２凹部２−１，３−１には奥行寸法の異なる大きさの薄型ディスプレイ本体１に対応できるように複数個のサポート取付け孔１３を前後、上下方向に所定ピッチで下側アングル取付け孔１２群の後側に位置するよう列設してあるので、奥行寸法の異なる大きさの薄型ディスプレイ本体１に対しても確りと固定することができる。
【００２０】
なお、薄型ディスプレイ本体１の縦・横の寸法に対し、奥行の寸法差が少ないため、より細かい寸法に対応できるように後側保持サポート６は上下逆でも取り付けることを可能としており、上側と下側でスピーカーボックス２，３側との取付け孔位置を非対称にずらしておき、スピーカーボックス２，３の各サポート取付け孔１３が近づき過ぎて、強度的に問題が発生しないよう配慮している。
【００２１】
薄型ディスプレイ本体１と左右のスピーカーボックス２，３内のスピーカーとは、接続線で信号接続される場合と、両者の接続部に接点を設けて直に接続される場合の二通りがある。図６の実施例では、薄型ディスプレイ本体１と左右のスピーカーボックス２，３内のスピーカーとは、接続線で信号接続されるが、接続線は図示省略している。
【００２２】
薄型ディスプレイ本体１と左右のスピーカーボックス２，３内のスピーカーとを接点で直に接続する場合は、図７に示すように、薄型ディスプレイ本体１の左右側面部にそれぞれ各２個の接点１−２を設ける一方、左右のスピーカーボックス２，３の第１、第２凹部２−１，３−１にそれぞれ２個のレール状の接点２−２，３−２を設ける。しかるときは、薄型ディスプレイ本体１の左右側面部の接点１−２，１−２と左右のスピーカーボックス２，３の接点２−２，３−２とを常に接触させることにより、信号の伝達が可能となる。
【００２３】
ここで、左右のスピーカーボックス２，３側の接点２−２，３−２をレール状に形成したのは、大きさの異なる薄型ディスプレイ本体１に対応させるためである。また、各接点１−２，２−３，３−２はそれぞれ少し突出状に形成することで互いに確実に接触できるようにする。
【００２４】
また、音質を考慮して、図８に示すように、左右のスピーカーボックス２，３を薄型ディスプレイ本体１より少し離して設置し、左右のスピーカーボックス２，３以外にセンタースピーカーボックス７をも使用することがある。この場合、薄型ディスプレイ本体１はセンタースピーカーボックス７の上に支持手段Ｓを介して取り付けられるが、その際、薄型ディスプレイ本体１は、図９に示すように、支持手段Ｓとして後側取付けアングル１１および取付けビス１４，１５を用い、これらでもってセンタースピーカーボックス７に取り付けられる。このとき、後側取付けアングル１１は、取付けビス１４でもって薄型ディスプレイ本体１の後面の取付け孔１６に固定されるとともに、取付けビス１５でもってセンタースピーカーボックス７の上面に列設された複数の後側アングル取付け孔１７群のうちの選択されたいずれかの後側アングル取付け孔１７に固定される。
【００２５】
即ち、センタースピーカーボックス７に対する薄型ディスプレイ本体１の前後方向の位置は、後側取付けアングル１１をセンタースピーカーボックス７に列設した複数の取付け孔１７群のうちいずれかの取付け孔１７を選択して取り付けることにより任意に調整することができる。なお、左右のスピーカーボックス２，３を有さず、薄型ディスプレイ本体１の下側に１つのセンタースピーカーボックスを置く場合であっても、本発明が適用できるのは言うまでもない。また、左右のスピーカーボックス２，３に設けられた上述したような支持手段Ｓと、センタースピーカーボックス７に設けられた上述したような支持手段Ｓとで薄型ディスプレイ本体１をより安定的に支持することも可能である。
【００２６】
また、薄型ディスプレイ本体１と左右のスピーカーボックス２，３との間隔はこれを設置する部屋の大きさやユーザーの好み等で異なる。そのため、薄型ディスプレイ本体１と左右のスピーカーボックス２，３とを接続する接続線（図示省略）の長さは少し長めのものが使用され、余裕を持って接続される。この場合、接続線の余裕部は、図４に示す後側保持サポート６の収納部６−２に収納することにより、その余裕部分がたるむことなく、見映えよく設置することができる。
【００２７】
また、図１０に示すように、後側保持サポート６は左右のスピーカーボックス２，３の第１、第２凹部２−１，３−１の後側にそれぞれ一体に設けることもできる。これによれば、上記実施例のようにスピーカーボックス２，３にこれとは別体の後側保持サポート６を取り付けるよりもコストを低減できる。また、組立てに際しては、左右のスピーカーボックス２，３の上側から薄型ディスプレイ本体１を第１、第２凹部２−１，３−１の前側の段部２−４，３−４と後側保持サポート６の前端との間に挿入し、薄型ディスプレイ本体１の溝１−１を後側保持サポート６の前端に設けたリブ部６−１に嵌合させることにより薄型ディスプレイ本体１を左右のスピーカーボックス２，３間に支持することができる。
【００２８】
図１１は、左右のスピーカーボックス２，３には上記実施例の場合と同様に第１、第２凹部２−１，３−１を設けるとともに、第１、第２凹部２−１，３−１には後側保持サポート６をそれぞれ取り付けておくものとしたうえで、左右のスピーカーボックス２，３を薄型ディスプレイ本体１より少し離れた位置に配置し、薄型ディスプレイ本体１をスタンド４でも支持できるようにした実施例を示すものである。この場合において、図１２に示すように、図９に示す実施例の場合と同様に後側取付けアングル１１を用い、この後側取付けアングル１１でスタンド４を薄型ディスプレイ本体１の底側に取り付ける。
【００２９】
尚、本発明は上述の実施形態に限定されるものではなく、本発明の趣旨を逸脱しない範囲において各部の構成等を適宜に変更して実施することも可能である。
【００３０】
また上述の通り、本実施形態の薄型ディスプレイセッティング装置は、映像を表示する薄型ディスプレイ本体と、前記映像に対応した音声を出力するスピーカーボックスと、前記スピーカーボックスに設けられ、前記薄型ディスプレイ本体を支持する支持手段とを備えている。
【００３１】
上記構成の薄型ディスプレイセッティング装置によれば、薄型ディスプレイ本体はスピーカーボックスに設けられた支持手段を介して支持されるので、薄型ディスプレイ本体は専用スタンドを用いることなく支持することができ、専用スタンドの省略化によりコストの削減を図れ、また薄型ディスプレイ本体及びスピーカーボックスの設置スペースを有効に活用することができる。
【００３２】
また、本実施形態の薄型ディスプレイセッティング装置は、略直方体形状にされ、表示面に対して奥行の小さい薄型ディスプレイ本体と、前記薄型ディスプレイ本体の表示面に映し出される映像に対応して音声を出力し、前記薄型ディスプレイ本体の左右に配置される一対のスピーカーボックスと、前記一対のスピーカーボックスにそれぞれ設けられ、前記薄型ディスプレイ本体を支持する支持手段とを備えている。
【００３３】
上記構成の薄型ディスプレイセッティング装置によれば、薄型ディスプレイ本体は左右一対のスピーカーボックスに設けられた支持手段を介して支持されるので、薄型ディスプレイ本体は専用スタンドを用いることなく支持することができ、専用スタンドの省略化によりコストの削減を図れ、また薄型ディスプレイ本体及び左右のスピーカーボックスの設置スペースを有効に活用することができる。
【００３４】
また、一つの好適な態様として、前記支持手段は、左側に配置される前記スピーカーボックスの右側面部に設けられ、前記薄型ディスプレイ本体の左側面部が取り付けられる第１凹部と、右側に配置される前記スピーカーボックスの左側面部に設けられ、前記薄型ディスプレイ本体の右側面部が取り付けられる第２凹部と、前記薄型ディスプレイ本体の左右下側を第１、第２凹部にそれぞれ取り付ける下側取付けアングルとから成るものとすることができる。
【００３５】
かかる支持手段を採用すれば、薄型ディスプレイ本体の左右側面部を左右のスピーカーボックスの第１、第２凹部に取り付けるとともに、薄型ディスプレイ本体の左右下側を第１、第２凹部に下側取付けアングルで取り付けることにより薄型ディスプレイ本体は左右のスピーカーボックス間に簡単かつ確実に、見栄えよく支持することができる。
【００３６】
この場合において、専用の左右スピーカーボックスを作成し、これに薄型ディスプレイ本体を取り付けるとすれば、異なったサイズの薄型ディスプレイ本体に対し、それぞれ異なったスピーカーボックスを必要とするため、多種類のスピーカーボックスとなり、割高なものとなる。これに対し、例えば、第１、第２凹部に、前記薄型ディスプレイ本体の異なる大きさに対応するよう複数の取付け孔を設けておくと、１種類の左右のスピーカーボックスに対してサイズの異なる各種の薄型ディスプレイ本体を任意の取付け孔を選択して下側取付けアングルや後側保持サポート等で取り付けることが可能になり、管理し易く、また価格的に安くすることも可能になる。
【００３７】
また、例えば、第１、第２凹部に、前記下側取付けアングルを取り付けるための複数の下側アングル取付け孔を列設し、前記下側取付けアングルを前記複数の下側アングル取付け孔のうちの前記薄型ディスプレイ本体が支持される高さ位置に応じた下側アングル取付け孔に取り付けることにより、前記薄型ディスプレイ本体が支持される高さ位置を調整可能にすると、薄型ディスプレイをユーザーの希望の高さ位置で支持することができる。
【００３８】
また、例えば、前記支持手段は、前記薄型ディスプレイ本体の後側を保持する後側保持サポートを備え、第１、第２凹部に、前記後側保持サポートを取り付けるための複数のサポート取付け孔を列設し、前記後側保持サポートを前記複数のサポート取付け孔のうちの前記薄型ディスプレイ本体の大きさに応じたサポート取付け孔に取り付けることにより、大きさの異なる前記薄型ディスプレイ本体を支持するようにすると、サイズの異なる各種の薄型ディスプレイ本体を支持することのできる薄型ディスプレイセッティング装置が実現できる。
【００３９】
また、薄型ディスプレイ本体と左右一対のスピーカーとの信号接続に際し接続線を使用する場合は、断線防止等のためにその接続線の長さは少し長めのものが使用されるが、この場合、例えば、前記後側保持サポートが、前記薄型ディスプレイ本体と前記一対のスピーカーボックスとを電気的に接続する接続線の余裕部を収納する収納部を有すると、接続線の余裕部は後側保持サポートの収納部に収納することにより、その余裕部分がたるむことなく、見映えよく設置することができる。
【００４０】
また、例えば、前記薄型ディスプレイ本体の左右側面部にそれぞれ設けた接点と、第１、第２凹部にそれぞれ設けた接点とを接触させて前記薄型ディスプレイ本体と前記一対のスピーカーボックスとの信号接続を行うようにすると、薄型ディスプレイ本体と左右一対のスピーカーとの信号接続に際し接続線を省略することができる。
【００４１】
また、例えば、前記一対のスピーカーボックスが前記薄型ディスプレイ本体から離して設置され、前記一対のスピーカーボックスとは別のスタンドが備えられ、このスタンドによっても前記薄型ディスプレイ本体を支持可能に構成していると、前記一対のスピーカーボックスが前記薄型ディスプレイ本体から離して設置された場合においても、前記薄型ディスプレイ本体を、前記スタンドを介して支持することができる。
【００４２】
また、本実施形態の薄型ディスプレイセッティング装置は、略直方体形状にされ、表示面に対して奥行の小さい薄型ディスプレイ本体と、前記薄型ディスプレイ本体の表示面に映し出される映像に対応して音声を出力し、前記薄型ディスプレイ本体の下側に配置されるセンタースピーカーボックスと、前記センタースピーカーボックスに設けられ、前記薄型ディスプレイ本体を支持する支持手段とを備えている。
【００４３】
上記構成の薄型ディスプレイセッティング装置によれば、薄型ディスプレイ本体はセンタースピーカーボックスに設けられた支持手段を介して支持されるので、薄型ディスプレイ本体は専用スタンドを用いることなく支持することができ、専用スタンドの省略化によりコストの削減を図れ、また薄型ディスプレイ本体及びセンタースピーカーボックスの設置スペースを有効に活用することができる。
【００４４】
また、一つの好適な態様として、前記支持手段は、前記薄型ディスプレイ本体が前記センタースピーカーボックスの上に、前記薄型ディスプレイ本体の下面と前記センタースピーカーボックスの上面とが対向するように載置された状態で、前記薄型ディスプレイ本体の後側を前記センタースピーカーボックスの上面に取り付ける後側取付けアングルから成るものとすることができる。
【００４５】
このようにすると、薄型ディスプレイ本体の後側をセンタースピーカーボックスの上面に前記後側取付けアングルで取り付けることにより、薄型ディスプレイ本体はセンタースピーカーボックスの上に簡単かつ確実に、見栄えよく支持することができる。
【００４６】
また、例えば、前記センタースピーカーボックスの上面に、前記後側取付けアングルを取り付けるための複数の後側アングル取付け孔を列設し、前記後側取付けアングルを前記複数の後側アングル取付け孔のうちの前記薄型ディスプレイ本体の前後位置に応じた後側アングル取付け孔に取り付けることにより、前記薄型ディスプレイ本体の前後位置を調整可能にすると、薄型ディスプレイをユーザーの希望の前後位置で支持することができる。
【００４７】
また、例えば、前記センタースピーカーボックスが前記薄型ディスプレイ本体から離して設置され、前記センタースピーカーボックスとは別のスタンドが備えられ、このスタンドによっても前記薄型ディスプレイ本体を支持可能に構成していると、前記センタースピーカーボックスが前記薄型ディスプレイ本体から離して設置される場合においても、前記薄型ディスプレイ本体を、前記スタンドを介して支持することができる。
【００４８】
また、本実施形態の薄型ディスプレイセッティング装置は、前記薄型ディスプレイ本体の表示面に映し出される映像に対応して音声を出力し、前記薄型ディスプレイ本体の左右に配置される一対のスピーカーボックスと、前記薄型ディスプレイ本体の表示面に映し出される映像に対応して音声を出力し、前記薄型ディスプレイ本体の下側に配置されるセンタースピーカーボックスと、前記一対のスピーカーボックスのそれぞれと前記センタースピーカーボックスとに設けられ、前記薄型ディスプレイ本体を支持する支持手段とを備えている。
【００４９】
上記構成の薄型ディスプレイセッティング装置によれば、前記一対のスピーカーボックスが前記薄型ディスプレイ本体から離して設置された場合においては、前記薄型ディスプレイ本体を前記センタースピーカーボックスに設けられた支持手段を介して支持することができ、前記センタースピーカーボックスが前記薄型ディスプレイ本体から離して設置される場合においては、前記薄型ディスプレイ本体を前記一対のスピーカーボックスに設けられた支持手段を介して支持することができる。また、前記一対のスピーカーボックスのそれぞれと前記センタースピーカーボックスとに設けられた支持手段を全て用いて支持する場合は、より安定的に前記薄型ディスプレイ本体を支持することができる。
【産業上の利用可能性】
【００５０】
以上説明したように、本発明によると、映像を表示する薄型ディスプレイ本体と、前記映像に対応した音声を出力するスピーカーボックスと、前記スピーカーボックスに設けられ、前記薄型ディスプレイ本体を支持する支持手段とを備えた薄型ディスプレイセッティング装置にすることにより、薄型ディスプレイ本体は専用スタンドを用いることなく支持することができ、専用スタンドの省略化によりコストの削減を図れ、また薄型ディスプレイ本体及びスピーカーボックスの設置スペースを有効に活用することができる。
【図面の簡単な説明】
【００５１】
【図１】本発明の一実施例を示す薄型ディスプレイセッティング装置の斜視図である。
【図２】図１の薄型ディスプレイセッティング装置を、右側のスピーカーボックスを分離した状態で示す斜視図である。
【図３】図１の薄型ディスプレイセッティング装置の左側のスピーカーボックスを示す斜視図である。
【図４】図１の薄型ディスプレイセッティング装置の後側保持サポートを示す斜視図である。
【図５】図１の薄型ディスプレイセッティング装置の組立て途中の状態を示す斜視図である。
【図６】図１の薄型ディスプレイセッティング装置の組立て完了状態を示す斜視図である。
【図７】図１の薄型ディスプレイセッティング装置の組立て途上において左側のスピーカーボックスを取り付ける前の状態を示す斜視図である。
【図８】他の実施例を示す薄型ディスプレイセッティング装置の斜視図である。
【図９】図８の薄型ディスプレイセッティング装置の薄型ディスプレイ本体を後側から見た斜視図である。
【図１０】更に他の実施例を示す薄型ディスプレイセッティング装置を、右側のスピーカーボックスを分離した状態で示す斜視図である。
【図１１】更に又、他の実施例を薄型ディスプレイセッティング装置の斜視図である。
【図１２】図１１の薄型ディスプレイセッティング装置の薄型ディスプレイ本体を後側から見た斜視図である。
【図１３】従来例の薄型ディスプレイセッティング装置の正面図である。
【図１４】他の従来例の薄型ディスプレイセッティング装置の正面図である
【符号の説明】
【００５２】
１    薄型ディスプレイ本体
１ａ    表示面
１−２    薄型ディスプレイ本体側の接点
２    左側のスピーカーボックス
２−１    第１凹部
２−２    第１凹部に設けた接点
３    右側のスピーカーボックス
３−１    第２凹部
３−２    第２凹部に設けた接点
４    スタンド
Ｓ    支持手段
５    下側取付けアングル
６    後側保持サポート
６−２    収納部
７    センタースピーカーボックス
１１    後側取付けアングル
１２    下側アングル取付け孔
１３    サポート取付け孔
１７    後側アングル取付け孔
【図１】
2008193713.tif 000003
【図２】
2008193713.tif 000004
【図３】
2008193713.tif 000005
【図４】
2008193713.tif 000006
【図５】
2008193713.tif 000007
【図６】
2008193713.tif 000008
【図７】
2008193713.tif 000009
【図８】
2008193713.tif 000010
【図９】
2008193713.tif 000011
【図１０】
2008193713.tif 000012
【図１１】
2008193713.tif 000013
【図１２】
2008193713.tif 000014
【図１３】
2008193713.tif 000015
【図１４】
2008193713.tif 000016